(57)【要約】【課題】表示された映像情報を確認しながら、再生位置に関する情報の表示を制御し、ユーザの操作に依存することなく再生位置を指定させる。【解決手段】映像情報に基づいて、タッチパネルディスプレイ２００の映像表示部２０１ａに映像情報を表示し、タッチパネルディスプレイ２００の操作情報表示部２０１ｂに映像情報の総再生時間を直線状に示したシークバーを含む操作情報を表示する制御を行う表示制御部１０５と、操作情報表示部２０１ｂに入力されたタッチ操作の操作内容を特定する操作特定部１０１と、特定された操作内容と、タッチ操作が入力された領域の座標とに応じて、映像情報の再生位置に関する情報を生成する情報生成部１０２とを備え、表示制御部１０５は、情報生成部１０２が生成した再生位置に関する情報を操作情報表示部２０１ｂに表示されたシークバー上に表示する制御を行う。【選択図】図１
2018019256.tif 000002
【特許請求の範囲】
【請求項１】
映像情報に基づいて、表示画面の映像表示領域に前記映像情報を表示し、前記表示画面の操作情報表示領域に前記映像情報の総再生時間を直線状に示した簡易図を含む操作情報を表示する制御を行う表示制御部と、
前記操作情報表示領域に入力されたタッチ操作の操作内容を特定する操作特定部と、
前記操作特定部が特定した前記操作内容と、前記タッチ操作が入力された領域の座標とに応じて、前記映像情報の再生位置に関する情報を生成する情報生成部とを備え、
前記表示制御部は、前記情報生成部が生成した前記再生位置に関する情報を前記操作情報表示領域に表示された前記簡易図上に表示する制御を行う再生制御装置。
【請求項２】
前記操作特定部は、前記タッチ操作が入力された領域の座標および前記タッチ操作の態様に基づいて、前記映像情報の前記再生位置に関する情報を設定する操作または前記再生位置に関する情報を削除する操作を特定し、
前記情報生成部は、前記操作特定部が前記再生位置に関する情報を設定する操作であると特定した場合に、前記簡易図上に前記再生位置を示す再生開始点を新たに設定する情報を生成し、前記操作特定部が前記再生位置に関する情報を削除する操作であると特定した場合に、前記簡易図上に示された前記再生開始点の情報を削除することを特徴とする請求項１記載の再生制御装置。
【請求項３】
前記操作特定部は、前記タッチ操作が入力された領域の座標、および前記タッチ操作の入力回数または前記タッチ操作の入力時間の少なくとも一方に基づいて、前記タッチ操作の操作内容を特定することを特徴とする請求項２記載の再生制御装置。
【請求項４】
前記操作特定部が特定した前記操作内容に応じて、前記映像情報の前記再生位置を変更する情報を取得する情報取得部を備え、
前記表示制御部は、前記情報取得部が取得した情報で示された前記変更後の再生位置に対応付けられた前記映像情報を前記映像表示領域に表示し、前記変更後の再生位置に対応付けられた前記操作情報を前記操作情報表示領域に表示する制御を行う請求項１から請求項３のうちのいずれか１項記載の再生制御装置。
【請求項５】
前記情報取得部は、前記操作特定部が特定した前記タッチ操作が入力されたボタンの種別に基づいて、前記映像情報の前記再生位置を変更する情報を取得することを特徴とする請求項４記載の再生制御装置。
【請求項６】
請求項１から請求項５のうちのいずれか１項記載の再生制御装置と、
前記再生制御装置の前記表示制御部の制御に基づいて、前記映像情報を表示する前記映像表示領域および前記操作情報を表示する前記操作情報表示領域を有する表示部と、
前記操作情報表示領域に表示された情報に対して前記タッチ操作を受け付けるタッチセンサ部とを有する表示装置とを備えた映像表示装置。
【請求項７】
映像情報に基づいて、表示画面の映像表示領域に前記映像情報を表示し、前記表示画面の操作情報表示領域に前記映像情報の総再生時間を直線状に示した簡易図を含む操作情報を表示する制御を行う第１の表示制御手順と、
前記操作情報表示領域に入力されたタッチ操作の操作内容を特定する操作特定手順と、
前記特定された前記操作内容と、前記タッチ操作が入力された領域の座標とに応じて、前記映像情報の再生位置に関する情報を生成する情報生成手順と、
前記生成された前記再生位置に関する情報を前記操作情報表示領域に表示された前記簡易図上に表示する制御を行う第２の表示制御手順とを、コンピュータに実行させるための再生制御プログラム。
【発明の詳細な説明】
【技術分野】
【０００１】
この発明は、蓄積された映像情報を再生する技術に関するものである。
【背景技術】
【０００２】
映像情報を再生する技術において、再生する映像情報に対して予め設定された再生位置のうち、ユーザによって指定された再生位置である再生開始位置に対応した特定のコンテンツを読み出し、当該指定された再生位置から継続して特定のコンテンツの再生を行う技術が種々提案されている。
例えば特許文献１に開示された画像検出装置は、再生されているタイトルの総データ量に対応し、総再生時間を示す表示であるタイムラインを表示し、当該タイムライン上に、チャプターマークが付けられた目的とするシーンの画像の位置を示す三角マークが表示される。ユーザがリモコンの操作キーを操作して目的とする三角マークを選択すると、ＣＰＵが選択された三角マークの位置から、当該三角マークに対応する画像を特定し、特定した画像の再生を行う。
【先行技術文献】
【特許文献】
【０００３】
【特許文献１】特開２００４−７２１３２号公報
【発明の概要】
【発明が解決しようとする課題】
【０００４】
上記特許文献１に記載された技術では、タイムライン上に設定されたチャプターマークを選択する操作、およびタイムライン上にチャプターマークを付与する操作等を行う際に、当該タイムラインが表示された表示画面とは異なる場所に位置するリモコンまたは操作パネルの操作キーを操作するため、目的とするチャプターマークを選択する際、または目的とする時点にチャプターマークを付与させる際に、リモコンまたは操作パネルの操作キーの位置を確認するために表示画面から視線がはずれ、タイムライン上で選択すべき時点を見逃してしまうという課題があった。
また、ディスプレイをタッチパネルディスプレイで構成し、従来技術であるシークバーを用いて当該タッチパネルディスプレイに関するタッチ操作を受け付ける操作インタフェースを適用した場合、ユーザはシークバー上のスライダを操作して目的とする時点まで移動させる必要があり、操作に手間がかかるという課題があった。また、ユーザが同一の時点から繰り返し視聴を行いたい場合であっても、スライダの移動はユーザ操作に依存するため、操作毎に開始時点にずれが生じるという課題があった。
【０００５】
この発明は、上記のような課題を解決するためになされたもので、表示された映像情報を確認しながら、再生位置に関する情報の表示を制御することを目的とする。また、ユーザの操作に依存することなく再生位置を指定させることを目的とする。
【課題を解決するための手段】
【０００６】
この発明による再生制御装置は、映像情報に基づいて、表示画面の映像表示領域に映像情報を表示し、表示画面の操作情報表示領域に映像情報の総再生時間を直線状に示した簡易図を含む操作情報を表示する制御を行う表示制御部と、操作情報表示領域に入力されたタッチ操作の操作内容を特定する操作特定部と、操作特定部が特定した操作内容と、タッチ操作が入力された領域の座標とに応じて、映像情報の再生位置に関する情報を生成する情報生成部とを備え、表示制御部は、情報生成部が生成した再生位置に関する情報を操作情報表示領域に表示された簡易図上に表示する制御を行うものである。
【発明の効果】
【０００７】
この発明によれば、表示された映像情報を確認しながら、再生位置に関する情報の表示を制御することができる。これにより、ユーザの操作に依存することなく再生位置を指定することができ、さらに再生位置を容易に移動させることができる。
【図面の簡単な説明】
【０００８】
【図１】実施の形態１に係る再生制御装置を備えた映像表示装置の構成を示すブロック図である。
【図２】図２Ａ、図２Ｂは、実施の形態１に係る再生制御装置のハードウェア構成例を示す図である。
【図３】実施の形態１に係る再生制御装置の表示制御による表示例を示す図である。
【図４】実施の形態１に係る再生制御装置の再生位置情報蓄積部に蓄積された再生位置情報の一例を示す図である。
【図５】実施の形態１に係る再生制御装置の動作を示すフローチャートである。
【図６】図６Ａ、図６Ｂ、図６Ｃは、実施の形態１に係る再生制御装置の表示制御による表示の変化を示す図である。
【発明を実施するための形態】
【０００９】
実施の形態１．
図１は、実施の形態１に係る再生制御装置を備えた映像表示装置の構成を示すブロック図である。
映像表示装置１は、再生制御装置１００とタッチパネルディスプレイ２００によって構成されている。
タッチパネルディスプレイ２００は、映像情報を表示する映像表示領域である映像表示部２０１ａおよび操作ボタン等の操作情報を表示する操作情報表示領域である操作情報表示部２０１ｂで構成される表示部２１０、およびタッチ操作を受け付けるタッチセンサ部２２０を備える。タッチセンサ部２２０は、タッチ操作が可能な領域である。タッチセンサ部２２０は、少なくとも操作情報表示部２０１ｂの表示領域と一致するように配置される。
【００１０】
再生制御装置１００は、操作特定部１０１、情報生成部１０２、再生位置情報蓄積部１０３、情報取得部１０４、表示制御部１０５および映像情報蓄積部１０６を備える。
操作特定部１０１は、後述するタッチパネルディスプレイ２００のタッチセンサ部２２０から入力される座標情報を取得し、タッチパネルディスプレイ２００を介して入力されたタッチ操作の操作内容を特定する。ここで、操作特定部１０１が特定するタッチ操作の操作内容とは、例えば、後述する映像表示ボタンのタッチ操作、開始点移動ボタンのタッチ操作、シークバーのタッチ操作、スライダのタッチ移動操作、タッチ操作の回数、およびタッチ操作の継続時間等である。操作特定部１０１は、タッチ操作の操作内容に応じて、情報生成部１０２、情報取得部１０４または表示制御部１０５に座標情報と共に操作内容を出力する。
【００１１】
情報生成部１０２は、操作特定部１０１から入力される座標情報および操作内容に基づいて、新たに再生開始点を設定する処理、または既に設定されている再生開始点を削除する処理を行う。情報生成部１０２は、後述するシークバーに対して再生開始点の設定または再生開始点の削除を行う。シークバーは、映像情報の総再生時間を直線状に示した簡易図であり、シークバーの各時点には映像情報の再生位置を示す時間情報が対応付けられている。情報生成部１０２は、現在再生している映像情報について、シークバーの位置情報と、映像情報の時間情報とを対応させた情報を予め保持しているものとする。ここで、シークバーの位置情報とは、タッチパネルディスプレイ２００上の座標である。
【００１２】
情報生成部１０２は、新たに再生開始点を設定する場合、当該再生開始点を設定する位置のタッチパネルディスプレイ２００上での座標および当該座標に対応付けられた映像情報の時間情報を、再生開始点の再生位置情報として再生位置情報蓄積部１０３に蓄積し、表示制御部１０５にその旨通知する。
また、情報生成部１０２は、既に設定された再生開始点を削除する場合、再生位置情報蓄積部１０３に蓄積された再生開始点の中から、操作特定部１０１から入力された座標情報に該当する再生開始点を特定し、特定した再生開始点の再生位置情報を再生位置情報蓄積部１０３から削除し、表示制御部１０５にその旨通知する。
再生位置情報蓄積部１０３は、情報生成部１０２により予め設定された再生開始点の、タッチパネルディスプレイ２００上の座標、および映像情報における時間情報を、再生位置情報として蓄積している。
【００１３】
情報取得部１０４は、操作特定部１０１から入力される座標情報および操作内容に基づいて、映像情報の再生位置を指定する再生位置情報を取得する。情報取得部１０４は、再生位置情報蓄積部１０３を参照し、入力された座標情報から映像情報の再生位置を指定する再生位置情報を取得する。情報取得部１０４は、取得した再生位置情報と操作内容とを、表示制御部１０５に出力する。
【００１４】
表示制御部１０５は、操作特定部１０１、情報生成部１０２および情報取得部１０４から入力される情報に基づいて、タッチパネルディスプレイ２００の表示を制御する。表示制御部１０５は、操作特定部１０１から入力される座標情報および操作内容、または情報取得部１０４から入力される再生位置情報および操作内容に基づいて、映像情報蓄積部１０６から再生すべき地点の映像情報を取得し、映像表示部２０１ａの表示を制御する。また、表示制御部１０５は、現在再生している映像情報の位置に基づいて、操作情報表示部２０１ｂの表示を制御する。
また、表示制御部１０５は、情報生成部１０２から入力される、新たに設定した再生開始点の再生位置情報、または削除した再生開始点の再生位置情報に基づいて、操作情報表示部２０１ｂの表示を制御する。
【００１５】
映像情報蓄積部１０６は、タッチパネルディスプレイ２００に表示する映像情報を蓄積する領域である。映像情報蓄積部１０６は、ネットワーク（図示しない）を介してストリーミング配信された映像情報、放送波で配信された映像情報を蓄積する記憶領域であってもよい。また、映像情報蓄積部１０６は、映像情報が記録されたメディア媒体、例えばＤＶＤ（Digital Versatile Disc）、ＣＤ（Compact Disc）、ＳＤカード等、そのものであってもよい。
【００１６】
また、表示制御部１０５は、情報生成部１０２から入力される新たに設定された再生開始点の情報、または既に設定された再生開始点を削除する情報に基づいて操作情報の表示を制御する場合、入力された情報に基づいて操作情報表示部２０１ｂの表示を制御する。
【００１７】
次に、再生制御装置１００のハードウェア構成例について説明する。
図２Ａ、図２Ｂは、実施の形態１に係る再生制御装置１００のハードウェア構成例を示す図である。
再生制御装置１００における操作特定部１０１、情報生成部１０２、情報取得部１０４および表示制御部１０５は、図２Ａに示すように専用のハードウェアである処理回路１００ａであってもよいし、図２Ｂに示すようにメモリ１００ｃに格納されているプログラムを実行するプロセッサ１００ｂであってもよい。
【００１８】
図２Ａに示すように、操作特定部１０１、情報生成部１０２、情報取得部１０４および表示制御部１０５が専用のハードウェアである場合、処理回路１００ａは、例えば、単一回路、複合回路、プログラム化したプロセッサ、並列プログラム化したプロセッサ、ＡＳＩＣ（Application Specific Integrated Circuit），ＦＰＧＡ（Field-programmable Gate Array）、またはこれらを組み合わせたものが該当する。操作特定部１０１、情報生成部１０２、情報取得部１０４および表示制御部１０５の各部の機能それぞれを処理回路で実現してもよいし、各部の機能をまとめて１つの処理回路で実現してもよい。
【００１９】
図２Ｂに示すように、操作特定部１０１、情報生成部１０２、情報取得部１０４および表示制御部１０５がプロセッサ１００ｂである場合、各部の機能は、ソフトウェア、ファームウェア、またはソフトウェアとファームウェアとの組み合わせにより実現される。ソフトウェアまたはファームウェアはプログラムとして記述され、メモリ１００ｃに格納される。プロセッサ１００ｂは、メモリ１００ｃに記憶されたプログラムを読み出して実行することにより、操作特定部１０１、情報生成部１０２、情報取得部１０４および表示制御部１０５の各機能を実現する。即ち、操作特定部１０１、情報生成部１０２、情報取得部１０４および表示制御部１０５は、プロセッサ１００ｂにより実行されるときに、後述する図５に示す各ステップが結果的に実行されることになるプログラムを格納するためのメモリ１００ｃを備える。また、これらのプログラムは、操作特定部１０１、情報生成部１０２、情報取得部１０４および表示制御部１０５の手順または方法をコンピュータに実行させるものであるともいえる。
【００２０】
ここで、プロセッサ１００ｂとは、例えば、ＣＰＵ（Central Processing Unit）、処理装置、演算装置、プロセッサ、マイクロプロセッサ、マイクロコンピュータ、またはＤＳＰ（Digital Signal Processor）などのことである。
メモリ１００ｃは、例えば、ＲＡＭ（Random Access Memory）、ＲＯＭ（Read Only Memory）、フラッシュメモリ、ＥＰＲＯＭ（Erasable Programmable ROM）、ＥＥＰＲＯＭ（Electrically EPROM）等の不揮発性または揮発性の半導体メモリであってもよいし、ハードディスク、フレキシブルディスク等の磁気ディスクであってもよいし、ミニディスク、ＣＤ、ＤＶＤ等の光ディスクであってもよい。
【００２１】
なお、操作特定部１０１、情報生成部１０２、情報取得部１０４および表示制御部１０５の各機能について、一部を専用のハードウェアで実現し、一部をソフトウェアまたはファームウェアで実現するようにしてもよい。このように、再生制御装置１００における処理回路１００ａは、ハードウェア、ソフトウェア、ファームウェア、またはこれらの組み合わせによって、上述の各機能を実現することができる。
【００２２】
再生制御装置１００の表示制御に基づいてタッチパネルディスプレイ２００に表示される画面を、図３を参照しながら説明する。
図３は、実施の形態１に係るタッチパネルディスプレイ２００の表示例を示す図である。
タッチパネルディスプレイ２００の映像表示部２０１ａには、再生制御装置１００の表示制御部１０５の表示制御に基づいた映像情報が表示される。
タッチパネルディスプレイ２００の操作情報表示部２０１ｂには、映像表示ボタン２０２、開始点移動ボタン２０３およびシークバー２０４が表示される。映像表示ボタン２０２として、再生ボタン２０２ａ、一時停止ボタン２０２ｂ、早送りボタン２０２ｃ、早戻しボタン２０２ｄおよび停止ボタン２０２ｅが表示される。開始点移動ボタン２０３として、前開始点移動ボタン２０３ａおよび次開始点移動ボタン２０３ｂが表示される。前開始点移動ボタン２０３ａは、映像情報の再生位置を、現在の再生位置に対して直前に位置する再生開始点に移動させる操作を行うボタンである。次開始点移動ボタン２０３ｂは、映像情報の再生位置を、現在の再生位置に対して直後に位置する再生開始点に移動させる操作を行うボタンである。
【００２３】
シークバー２０４は、映像表示部２０１ａに表示されている映像情報の総データ量に対応し、総再生時間を直線状に示した簡易図である。シークバー２０４の一端は映像情報の開始点を示し、他端は映像情報の終了点を示している。シークバー２０４上には、現在再生している映像情報の時点を示すスライダ２０４ａが重畳表示されている。シークバー２０４の各時点には映像情報の時間情報が付加されている。再生制御装置１００の表示制御部１０５は、映像表示部２０１ａに表示している映像情報の時間情報と、シークバー２０４に付加された映像情報の時間情報とが一致するように、表示制御を行う。また、シークバー２０４上には、情報生成部１０２によって設定された再生開始点Ａ、再生開始点Ｂおよび再生開始点Ｃの位置をそれぞれ示す、開始点マーク２０４ｂ，２０４ｃ，２０４ｄが重畳表示される。
【００２４】
操作情報表示部２０１ｂには、上述した映像表示ボタン２０２、開始点移動ボタン２０３およびシークバー２０４に直接タッチしてタッチ操作を行うことができるタッチセンサ部２２０が配置されている。ユーザが、操作を希望する映像表示ボタン２０２または開始点移動ボタン２０３を押下すると、タッチセンサ部２２０が、押下された領域の座標を検出し、再生制御装置１００に出力する。また、ユーザがシークバー２０４上のある領域を押下すると、タッチセンサ部２２０が押下された領域の座標、タッチ操作の回数、タッチ操作の時間を検出し、再生制御装置１００に出力する。さらに、ユーザがシークバー２０４上のスライダ２０４ａを移動させると、タッチセンサ部２２０が移動後の領域の座標を検出し、座標情報として再生制御装置１００に出力する。
【００２５】
次に、再生位置情報蓄積部１０３の蓄積例を示す。
図４は、実施の形態１に係る再生制御装置１００の再生位置情報蓄積部１０３が蓄積する再生位置情報の一例を示す図である。
図４では、図３で示したシークバー２０４上に設定された３つの開始点マーク２０４ｃ，２０４ｃ，２０４ｄに対応した再生位置情報を示している。
再生位置情報は、座標、映像情報の時間情報で構成されている。座標は、シークバー２０４上の開始点マーク２０４ｂ，２０４ｃ，２０４ｄのタッチパネルディスプレイ２００上での位置を示す座標である。再生開始点Ａの場合、シークバー２０４上に表示される開始点マーク２０４ｂの座標が（Ａ１，Ａ２）であることを示している。また、当該座標（Ａ１，Ａ２）の位置に対応付けられた映像情報の時間情報が「００：２０：０４」であることを示している。
【００２６】
次に、再生制御装置１００の動作について説明する。
図５は、実施の形態１に係る再生制御装置１００の動作を示すフローチャートである。
なお、以下の説明では再生制御装置１００の表示制御部１０５が映像情報蓄積部１０６に蓄積された映像情報を順次読み出し、映像表示部２０１ａに出力しているものとする。また、図５のフローチャートのステップＳＴ５からステップＳＴ８の処理は、再生開始点を設定する処理に対応し、ステップＳＴ９からステップＳＴ１１の処理は、再生開始点を削除する処理に対応している。また、ステップＳＴ１３からステップＳＴ１９の処理は、例えば図３の開始点移動ボタン２０３が押下された場合の処理に対応している。さらに、ステップＳＴ２０およびステップＳＴ２１の処理は、例えば図３の映像表示ボタン２０２が押下された場合の処理、およびシークバー２０４上のスライダ２０４ａが移動した場合の処理に対応している。
【００２７】
操作情報表示部２０１ｂに対するタッチ操作が入力されると（ステップＳＴ１）、操作特定部１０１は、タッチ操作がシークバーへのタッチ操作であるか否か判定を行う（ステップＳＴ２）。シークバーへのタッチ操作である場合（ステップＳＴ２；ＹＥＳ）、操作特定部１０１は、同一領域へのタッチ操作の入力回数および入力時間を特定する（ステップＳＴ３）。情報生成部１０２は、ステップＳＴ３で特定された同一領域へのタッチ操作の入力回数および入力時間を示す情報を参照し、タッチ回数ｍが１回であり、且つ入力時間ｎが予め設定した閾値時間未満であるか否か判定を行う（ステップＳＴ４）。
【００２８】
タッチ回数が１回、且つ入力時間が予め設定した時間未満である場合（ステップＳＴ４；ＹＥＳ）、情報生成部１０２はタッチ操作が、タッチした領域への再生開始点の登録操作であると判断する（ステップＳＴ５）。情報生成部１０２は、タッチ操作が行われたシークバー上の位置に再生開始点を設定する（ステップＳＴ６）。情報生成部１０２は、ステップＳＴ６で設定した再生開始点の座標と、当該座標における映像情報の時間情報とを、再生開始点の再生位置情報として再生位置情報蓄積部１０３に蓄積し、表示制御部１０５に出力する（ステップＳＴ７）。表示制御部１０５は、出力された再生開始点の座標に基づいてシークバー上に開始点マークを表示させる表示制御を行う（ステップＳＴ８）。
【００２９】
一方、タッチ回数が１回、または入力時間が予め設定した時間未満でない場合（ステップＳＴ４；ＮＯ）、情報生成部１０２はタッチ操作が、タッチした領域に設定されている再生開始点の削除操作であると判断する（ステップＳＴ９）。情報生成部１０２は、再生位置情報蓄積部１０３に蓄積された再生位置情報から、タッチ操作が行われたシークバー上の座標に対応した再生位置情報を特定し、削除する（ステップＳＴ１０）。情報生成部１０２は、削除した再生位置情報を表示制御部１０５に出力する。表示制御部１０５は、削除された再生位置情報の座標に基づいてシークバー上の開始点マークを削除させる表示制御を行う（ステップＳＴ１１）。
【００３０】
一方、シークバーへのタッチ操作でない場合（ステップＳＴ２；ＮＯ）、操作特定部１０１は、タッチ操作が開始点移動ボタンへのタッチ操作であるか否か判定を行う（ステップＳＴ１２）。開始点移動ボタンへのタッチ操作である場合（ステップＳＴ１２:ＹＥＳ）、さらに操作特定部１０１は、前開始点移動ボタンへのタッチ操作であるか否か判定を行う（ステップＳＴ１３）。前開始点移動ボタンへのタッチ操作である場合（ステップＳＴ１３；ＹＥＳ）、情報取得部１０４は、再生位置情報蓄積部１０３を参照して、現在のスライダが位置する点の座標情報を用いて、現在のスライダの直前に位置する再生開始点を検索する（ステップＳＴ１４）。
【００３１】
一方、前開始点移動ボタンへのタッチ操作でない場合（ステップＳＴ１３；ＮＯ）、すなわち次開始点移動ボタンへのタッチ操作である場合、情報取得部１０４は、再生位置情報蓄積部１０３を参照して、現在のスライダが位置する点の座標情報に基づいて、現在のスライダの直後に位置する再生開始点を検索する（ステップＳＴ１５）。情報取得部１０４は、ステップＳＴ１４またはステップＳＴ１５で検索した再生開始点の再生位置情報を再生位置情報蓄積部１０３から取得し、表示制御部１０５に出力する（ステップＳＴ１６）。表示制御部１０５は、ステップＳＴ１６で出力された再生位置情報に基づいて、映像表示部２０１ａに表示すべき映像情報を映像情報蓄積部１０６から取得する（ステップＳＴ１７）。表示制御部１０５は、ステップＳＴ１７で取得した映像情報を映像表示部２０１ａに表示する表示制御を行う（ステップＳＴ１８）。また、表示制御部１０５は、ステップＳＴ１６で出力された再生位置情報に記載された座標にスライダを移動させる表示制御を行う（ステップＳＴ１９）。
【００３２】
一方、開始点移動ボタンへのタッチ操作でない場合（ステップＳＴ１２；ＮＯ）、操作特定部１０１は映像表示ボタンまたはスライダへのタッチ操作であると判断し、タッチ操作の座標からタッチ操作の操作内容を特定し（ステップＳＴ２０）、特定した操作内容を座標情報と共に表示制御部１０５に出力する。表示制御部１０５は、入力された操作内容および座標情報に対応した映像情報を映像情報蓄積部１０６から取得し、映像表示部２０１ａに表示する表示制御を行う（ステップＳＴ２１）。
上述したステップＳＴ８、ステップＳＴ１１、ステップＳＴ１９、またはステップＳＴ２１の処理が終了すると、フローはステップＳＴ１の処理に戻り、上述した処理を繰り返す。
【００３３】
次に、図５のフローチャートの各処理を行った場合に、図３で示した表示部２１０の表示がどのように変化するかについて図６を参照しながら説明する。
図６Ａは、操作特定部１０１によって、タッチ操作が再生開始点の登録操作であると特定された場合のタッチパネルディスプレイ２００の表示例を示している。
ユーザがシークバー２０４上のある時点を予め設定した時間未満で１回押下すると、図５のフローチャートのステップＳＴ５において、タッチ操作が再生開始点の登録操作であると判断される。情報生成部１０２および表示制御部１０５は、ステップＳＴ６からステップＳＴ８において新たな再生開始点Ｄの再生位置情報を蓄積する処理、およびシークバー２０４上に新たな再生開始点Ｄの開始点マーク２０４ｅを表示する処理を行う。これら処理により、図６Ａに示すように、シークバー２０４上に新たな開始点マーク２０４ｅが重畳表示される。
なお、ユーザのタッチ操作が、シークバー２０４から多少ずれる場合もある。そこで、操作特定部１０１は、このずれを考慮し、シークバー２０４から所定範囲内の領域が押下された場合にも、シークバー２０４上の時点を選択する押下であると判断するように構成してもよい。
【００３４】
一方、ユーザがシークバー２０４上のある時点を複数回、または予め設定した時間以上押下すると、図５のフローチャートのステップＳＴ９において、タッチ操作が再生開始点の削除操作であると判断される。情報生成部１０２および表示制御部１０５は、ステップＳＴ１０およびステップＳＴ１１において再生開始点の再生位置情報を削除する処理、およびシークバー２０４上の開始点マークを削除する処理を行う。表示制御部１０５が開始点マークを削除すると、図３で示したシークバー２０４に重畳表示されている開始点マーク２０４ｂ，２０４ｃ，２０４ｄのうち対応する開始点マークの表示が削除される。
なお、ユーザのタッチ操作が、開始点マークから多少ずれる場合もある。そこで、操作特定部１０１は、このずれを考慮し、開始点マークから所定の範囲内の領域が押下された場合には、対応する再生開始点の削除操作であると判断するように構成してもよい。また、開始点マークを削除する処理を行う前に、ユーザに削除する処理を行うか否か問い合わせる処理を行ってもよい。
【００３５】
なお、図５のフローチャートで示した処理例では、シークバーへのタッチ操作であり、さらに１回のタッチ操作且つ所定時間内のタッチ操作であった場合に、再生開始点の登録操作であるとした。また、シークバーへのタッチ操作であり、さらに２回以上の連続したタッチ操作または所定時間以上の長押しのタッチ操作であった場合に、再生開始点の削除操作であるとした。どのようなタッチ操作が行われた場合に再生開始点の登録操作であるか削除操作であるかは、任意に設定可能であり、タッチ操作の回数のみで判断してもよいし、タッチ操作の時間で判断してもよいし、上述した判断は一例である。
【００３６】
図６Ｂは、操作特定部１０１によって、前開始点へのタッチ操作であると特定された場合のタッチパネルディスプレイ２００の表示例である。
ユーザが前開始点移動ボタン２０３ａを押下すると、図５のフローチャートのステップＳＴ１３において、前開始点へのタッチ操作であると判定される（ステップＳＴ１３；ＹＥＳ）。情報取得部１０４は、ステップＳＴ１４において、図３で示したスライダ２０４ａの直前に位置する再生開始点Ｂを検索する。情報取得部１０４および表示制御部１０５は、ステップＳＴ１６からステップＳＴ１９において、再生開始点Ｂの開始点マーク２０４ｃの位置から再生を開始するための処理を行う。これらの処理により、図６Ｂに示すように、映像情報の再生位置が開始点マーク２０４ｃの時点に変更され、当該開始点マーク２０４ｃにおける映像情報が映像表示部２０１に表示され、スライダ２０４ａがシークバー２０４の開始点マーク２０４ｃ上に重畳表示される。このように、ユーザが前開始点移動ボタン２０３ａを押下すると、現在の再生位置を示すスライダ２０４ａが、直前に位置する再生開始点Ｂまで戻される。
【００３７】
図６Ｃは、操作特定部１０１によって、次開始点へのタッチ操作であると特定された場合のタッチパネルディスプレイ２００の表示例である。
ユーザが次開始点移動ボタン２０３ｂを押下すると、図５のフローチャートのステップＳＴ１３において、前開始点へのタッチ操作でないと判定される（ステップＳＴ１３；ＮＯ）。情報取得部１０４は、ステップＳＴ１５において、図３で示したスライダ２０４ａの直後に位置する再生開始点Ｃを検索する。情報取得部１０４および表示制御部１０５は、ステップＳＴ１６からステップＳＴ１９において、再生開始点Ｃの開始点マーク２０４ｄの位置から再生を開始するための処理を行う。これらの処理により、図６Ｃに示すように、映像情報の再生位置が開始点マーク２０４ｄの地点に変更され、当該開始点マーク２０４ｄにおける映像情報が映像表示部２０１に表示され、スライダ２０４ａがシークバー２０４の開始点マーク２０４ｄ上に重畳表示される。このように、ユーザが次開始点移動ボタン２０３ｂを押下すると、現在の再生位置を示すスライダ２０４ａが、直後に位置する再生開始点Ｃまでスキップされる。
【００３８】
以上のように、この実施の形態１によれば、映像情報に基づいて、表示部２１０の映像表示部２０１ａに映像情報を表示し、表示部２１０の操作情報表示部２０１ｂに映像情報の総再生時間を直線状に示した簡易図を含む操作情報を表示する制御を行う表示制御部１０５と、操作情報表示部２０１ｂに入力されたタッチ操作の操作内容を特定する操作特定部１０１と、特定された操作内容に応じて、映像情報の再生位置に関する情報を生成する情報生成部１０２とを備え、表示制御部１０５は、生成された再生位置に関する情報を操作情報表示部２０１ｂに表示された簡易図上に表示する制御を行うように構成したので、表示された映像情報を確認しながら、映像の再生位置に関する情報を生成することができる。これにより、再生開始点を設定する操作および再生開始点を削除する操作等を、映像情報を確認しながら少ない操作で容易に指示することができる。また、ユーザの操作に依存することなく再生位置を指定することができる。
【００３９】
また、この実施の形態１によれば、操作特定部１０１は、タッチ操作が入力された領域の座標およびタッチ操作の態様に基づいて、映像情報の再生位置に関する情報を設定する操作または再生位置に関する情報を削除する操作を特定し、情報生成部１０２は、操作特定部１０１が再生位置に関する情報を設定する操作であると特定した場合に、シークバー上に再生位置を示す再生開始点を新たに設定する情報を生成し、操作特定部１０１が再生位置に関する情報を削除する操作であると特定した場合に、シークバー上に示された再生開始点の情報を削除するように構成したので、ユーザは映像情報を確認しながら、容易にシークバー上に再生開始点を設定する、またはシークバー上の再生開始点を削除することができる。また、再生開始点を設定することにより、ユーザが映像情報の再生位置を見たい時点まで移動させる際に、シークバー上のスライダを操作して目的とする時点まで移動させる必要がなく、希望する再生開始点をタッチすることにより、毎回決まった再生開始点を指定することができる。これにより、操作毎に再生開始点にずれが生じるという不具合の発生を抑制することができる。
【００４０】
また、この実施の形態１によれば、操作特定部１０１が特定した操作内容に応じて、映像情報の再生位置を変更する情報を取得する情報取得部１０４を備え、表示制御部１０５は、取得された情報で示された変更後の再生位置に対応付けられた映像情報を映像表示部２０１ａに表示し、変更後の再生位置に対応付けられた操作情報を操作情報表示部２０１ｂに表示する制御を行うように構成したので、ユーザは視聴を希望する所望の時点まで再生位置を瞬時に移動させることができる。
【００４１】
なお、上述した実施の形態１では、タッチパネルディスプレイ２００用いる場合を例に説明を行ったが、マウス、トラックボール等のポインティングデバイスを適用して構成してもよい。
【００４２】
なお、本願発明はその発明の範囲内において、実施の形態の任意の構成要素の変形、もしくは実施の形態の任意の構成要素の省略が可能である。
【符号の説明】
【００４３】
１  映像表示装置、１００  再生制御装置、１０１  操作特定部、１０２  情報生成部、１０３  再生位置情報蓄積部、１０４  情報取得部、１０５  表示制御部、１０６  映像情報蓄積部、２００  タッチパネルディスプレイ、２０１ａ  映像表示部、２０１ｂ  操作情報表示部、２１０  表示部、２２０  タッチセンサ部。
【図１】
2018019256.tif 000003
【図２】
2018019256.tif 000004
【図３】
2018019256.tif 000005
【図４】
2018019256.tif 000006
【図５】
2018019256.tif 000007
【図６】
2018019256.tif 000008